【事件の表示】
　特許第２９８０２６８号「画像表示装置」の請求項１及び請求項２に係る発明の特許に対する特許異議の申立てについて、次のとおり決定する。
【結　論】
　特許第２９８０２６８号の請求項１及び請求項２に係る発明の特許を維持する。
【理　由】
１．手続きの経緯
  本件特許第２９８０２６８号に係る出願は、平成４年４月２９日に出願され、平成１１年９月１７日にその設定登録がなされ、その後、中石幸明より特許異議の申立てがなされ、取消理由通知がなされ、その指定期間内である平成１２年１０月４日に意見書が提出されたものである。
２．特許異議申立てについて
（請求項に係る発明）
　本件特許第２９８０２６８号の請求項１及び請求項２に係る発明は、特許明細書及び図面の記載からみて、特許請求の範囲の請求項１及び請求項２に記載された、
「【請求項１】ドット状の表示セグメントが２次元的に多数配列された画像表示器を備えた画像表示装置であって、画像表示器の画像表示部の表示経路に位相格子からなる光学的ローパスフィルタを備え、該光学的ローパスフィルタの遮断周波数が、画像表示器における画素の間隔で決定されるナイキスト周波数とサンプリング周波数との間に設定されていることを特徴とする画像表示装置。
【請求項２】ドット状の表示セグメントが２次元的に多数配列されたカラー画像表示器を備えた画像表示装置であって、カラー画像表示器の画像表示部の表示経路に位相格子からなる光学的ローパスフィルタを備え、該光学的ローパスフィルタの遮断周波数が、カラー画像表示器の色フィルタにおける同色カラー画素の間隔で決定されるナイキスト周波数とカラー画像表示器の画素の間隔で決定されるサンプリング周波数との間に設定されていることを特徴とする画像表示装置。」
と認める。
　
（特許異議申立人の主張の概要）
  特許異議申立人中石幸明は、甲第１号証として特開平３−１４８６２２号公報、甲第２号証として特開昭６０−７６７１２号公報及び甲第３号証として特開昭６０−２３７７６９号公報を提示して、本件請求項１及び請求項２に係る発明は、甲第１号証ないし甲第３号証に記載された発明に基づいて、当業者が容易に発明をすることができたものであるから、特許法第２９条第２項の規定により特許を受けることができないものである旨主張している。
　
（引用例）
　特許異議申立人の提示した甲第１号証には、
「本発明は、回折格子を使用して作られる光学的復元フィルタである。回折格子復元フィルタは、第４図に示すように、平板と目との間に配置される。このフィルタは類似カラーのデータ点間を補間し、カラーマトリックス表示装置で表示すべき映像に対する復元フィルタとして働く。フィルタの遮断周波数はカラーマトリックス表示装置のカラーマトリックス表示サンプリング構造により決まる。この復元フィルタを適用する結果、出力映像がシステム入力と同じになり、サンプリング格子の人工的要素が皆無になる。」（公報第３頁左下欄第２行〜第１３行）、
「本発明の平板回折拡散体では、透過が最高であるという理由から位相透過格子が好適である。これは２進階段形式である。位相格子では、活動回折材料は透明で、厚さは表面を横切って変化している。第４図は、映像平板３０の上にある点の像が回折格子３１により如何にして散布されるかを示している。格子３１は第４図に示すように、平板３０の前面に設置され、観察者３２が回折像を眺める。」（公報第６頁左上欄第１９行〜右上欄第７行）、
「復元フィルタの所要空間周波数通過帯域特性を決定することが鍵であり、使用すべきカラーマトリックス表示装置の下層格子構造を認識することから始まる。・・・カラーマトリックス表示装置の空間周波数格子を次に決定する。これは空間サンプリング・アレイのフーリエ変換を取ることにより見つかる。ナイキスト理論を使用して復元フィルタの通過帯域特性を決定する。ナイキストのサンプリング理論は、カラーマトリックス表示装置でエーリアシングを生ずることなく表示することができる最大周波数はサンプリング周波数の１／２であることを述べている。それ故表示可能な最大周波数に対する境界は空間周波数アレーの格子点間の中間にある。これらの境界はナイキスト境界と呼ばれるが、対角線マトリッックス・パターンについて第１０図に示してある。ナイキスト境界はカラーモザイクの最大周波数能力をすべての方向で規定する。それ故、対角線パターンに対する理想的帯域フィルタの伝達関数は第１１図のようになる。次の段階は、ナイキスト境界により規定される補間の範囲で、使用すべき補間関数を決定することである。」（公報第７頁左上欄第１行〜右上欄第９行）、
「第８図に主軸ａおよびｂ、および対角線カラーモザイク・パターンの同じカラー画素Ｒ、Ｇ、およびＢの間の分離を示してある。この図で補間関数は対角線モザイク・パターンの±４５゜の軸の方向に沿っている。隣接するＲ画素間の分離はｄａ軸＝・・・＝１．４１４画素と示されている。他の軸に関してはＲ画素間の分離はｄｂ軸＝・・・＝２．１２画素と示されている。」（公報第８頁左上欄第１３行〜右上欄第１行）と記載されている。
　よって、甲第１号証には、
「平板上に多数のカラーモザイク・パターンの画素を備えたカラーマトリックス表示装置であって、カラーマトリックス表示装置と目との間に位相透過格子からなる回折格子復元フィルタを備え、該回折格子復元フィルタの遮断周波数が、カラーマトリックス表示装置の空間周波数格子で決定されるサンプリング周波数の１／２であるナイキスト周波数に設定されているカラーマトリックス表示装置」の発明（以下、引用発明という。）が記載されている。
　同じく甲第２号証には、
「イメージガイド７の受端面及び出端面には、該イメージガイド７を形成するファイバ６の配列によって観察される網目模様を観察されないように消去する光学的ローパスフィルタ１４、１５が接合する等して取付けてある。上記光学的ローパスフィルタ１４、１５は第２図に示すように水晶板１６等、光を透過させると正常光と異常光とに分離する（ずれる）複屈折を示す透明部材を板状にカットして、図示のように透過後のずれのピッチが適宜値ｌになるようにしたものを用いて形成されている。尚、上記ずれのピッチがｌになる水晶板１６の（ずれのピッチ方向に対しての）空間周波数に対する輝度変化は第３図に示すように１／（２ｌ）の空間周波数でレスポンスが０になるものであり、その光学的ローパスフィルタとしてのカットオフ特性がなだらかである。従って、上記光学的ローパスフィルタ１４、１５としては、第２図の水晶板１６をｎ枚重ねて、第４図に示すように急峻となるカットオフ特性を示すものが用いられる」（公報第２頁右下欄第１３行〜第３頁左上欄第１２行）、
「第６図（ｄ）に示すような理想的なカットオフ特性を示すものを１枚の水晶板１６では実現できないので、前述のようにｎ枚重ねることにより略理想的に近いフィルタ特性を示すものが得られる。水晶板１６をｎ枚重ねた場合の特性は、第４図の実線に示すように｜ｓｉｎｎ（ｋ＋１／２ｌ）｜となり、ｋ＝１／（２Ｐ）のときにその急峻に立下がりが生じ始める値０．７１となるように設定すれば、ピッチｌは・・・から求めることができる。」（公報第３頁左下欄第１６行〜右下欄第５行）、
「上述のようにイメージガイド７の受光端には光学的ローパスフィルタ１４にて該イメージガイドの解像限界１／（２Ｐ）以下の周波数成分を有する像で結像させると共に、他端面に設けた光学的ローパスフィルタ１５にてイメージガイド７を形成するファイバ配列の網目模様の現われる周波数成分（に起因する像を不鮮明にする周波数成分）をカットオフするよう構成されてあるので、解像度を低下させることなく、網目模様を消去することができる。」（公報第４頁左上欄第７行〜第１６行）と記載されている。
　同じく甲第３号証には、
「順次走査方式の撮像装置において、レンズ系から光電変換部までの光路中に、垂直方向に複屈折を生じる水晶板を配置し、該水晶板の複屈折によって光電変換部に生じる空間周波数特性は、そのトラップ周波数が、該順次走査方式の走査線の垂直方向の空間周波数の１／２より大きく、３／４より小さくなる如く、水晶板の厚さを選ぶことを特徴とする撮像装置。」（特許請求の範囲第１項）、
「本発明においては、垂直方向に複屈折を生じる光学材料を撮像装置のレンズから撮像面までの光路中に挿入し、ナイキスト周波数の１〜１．５倍の間に光学的に阻止域が生じるようにして、折返しを防ぐようにした。」（公報第２頁右上欄第１８行〜左下欄第２行）、
「レンズ系１を通過した光は、複合プリズムから成る分光器２で分光されＲ、Ｇ、Ｂの３色に分解される。このＲ、Ｇ、Ｂはそれぞれ水晶フィルタ３、４、５で垂直方向の空間周波数が、走査線の空間の周波数の１／２から３／４の間に阻止域のあるフィルタがかけられる。」（公報第２頁左下欄第１７行〜右下欄第２行）と記載されている。
　
Ａ．本件の請求項１に係る発明について
（対比）
　本件の請求項１に係る発明（以下、本件発明１という。）と引用発明とを対比すると、引用発明の「平板上に多数のカラーモザイク・パターンの画素」、「カラーマトリックス表示装置」、「カラーマトリックス表示装置と目との間」及び「位相透過格子からなる回折格子復元フィルタ」は、本件発明１の「ドット状の表示セグメントが２次元的に多数配列された画像表示器」、「画像表示装置」、「画像表示器の画像表示部の表示経路」及び「位相格子からなる光学的ローパスフィルタ」に相当するから、両者は、
「ドット状の表示セグメントが２次元的に多数配列された画像表示器を備えた画像表示装置であって、画像表示器の画像表示部の表示経路に位相格子からなる光学的ローパスフィルタを備えている画像表示装置」
である点で一致しており、
光学的ローパスフィルタの遮断周波数が、本件発明１では、「画像表示器における画素の間隔で決定されるナイキスト周波数とサンプリング周波数との間に設定されている」のに対し、引用発明では、「カラーマトリックス表示装置の空間周波数格子で決定されるサンプリング周波数の１／２であるナイキスト周波数に設定されている」
点で相違している。
　
（当審の判断）
　上記相違点について検討する。
　本件発明１は、上記相違点に係る構成要件を具備することにより、明細書に記載の、「画素が点状に、不連続に見えることによる画質の低下が低減され、しかも高い解像感を保った良好な画像を得ることができる」という、引用発明と比較して顕著な作用効果を奏するものである。
　これに対し、甲第２号証には、光学的ローパスフィルタの遮断周波数をナイキスト周波数とサンプリング周波数との間に設定することは開示されておらず、また、甲第３号証には、光学的ローパスフィルタの遮断周波数をナイキスト周波数とサンプリング周波数との間に設定することが開示されているが、甲第３号証は撮像装置に関する発明であり、光学的ローパスフィルターは、サンプリングによる折返しが帯域内に入りこみ、モアレを生じる問題点を解決すべく、ナイキスト周波数の１．５倍以上の周波数成分があっても折返しは生じないとの知見を採用して、遮断周波数を走査線の空間の周波数の１／２から３／４の間に設定したものであり、画像表示器に適用した場合に、本件発明１の如き作用効果を奏することに関しては何ら記載されていないから、当業者といえども、撮像装置に関する上記公知技術を、引用発明の如き画像表示装置に適用することは、容易に想到し得ないものと認められる。
　これに関し、特許異議申立人は、甲第２号証には、光学的ローパスフィルタの遮断周波数を画像表示器における画素の間隔で決定されるナイキスト周波数より大きく設定すること、及び、そのような光学的ローパスフィルターは、画像をサンプリングして取り込む端にも同様に使用できることが開示されているから、上記相違点は、甲第２号証と甲第３号証の記載に基づいて容易に想到できる旨主張している。
　しかしながら、甲第２号証は、遮断周波数が１／２ｌの光学的ローパスフィルタをｎ枚重ねて１／２Ｐのときに急激に立下がりが生じ始めるフィルタを得ようとするものであり、その遮断周波数は、特許権者の提出した平成１２年１０月４日付け特許異議意見書の記載によれば、常にサンプリング周波数より大きいものである。また、同じ光学的フィルタをイメージガイドの受光端と出射端に使用しているが、それは光学的ローパスフィルタの遮断周波数が、実質的にイメージガイドの解像限界１／（２Ｐ）であるためであり、本件発明１の如く、遮断周波数が、「ナイキスト周波数とサンプリング周波数との間に設定されている」光学的ローパスフィルタにおいても、同様にイメージガイドの受光端と出射端に使用できるか否かは不明である。
　してみれば、甲第２号証には、一般的に、撮像装置に使用して効果的な光学的ローパスフィルタは、常に画像表示器にも効果的なものとして使用できることは開示されておらず、また、このことが周知であるとの証拠も提出されていないので、甲第３号証に、撮像装置の光学的ローパスフィルタとして、遮断周波数を走査線の空間の周波数の１／２から３／４の間に設定したものが開示されていても、上記相違点は、甲第２号証と甲第３号証の記載に基づいて容易に想到できる旨の特許異議申立人の主張は採用できない。
　
（結論）　
　よって、本件発明１は、甲第１号証ないし甲第３号証に記載された発明に基づいて、当業者が容易に発明をすることができたものではない。
　
Ｂ．本件の請求項２に係る発明について
　本件の請求項２に係る発明は、本件発明１の画像表示器を、カラー画像表示器と限定し、ナイキスト周波数及びサンプリング周波数を、「カラー画像表示器の色フィルタにおける同色カラー画素の間隔で決定されるナイキスト周波数」及び「カラー画像表示器の画素の間隔で決定されるサンプリング周波数」と限定したものであるから、本件の請求項２に係る発明は、本件発明１と同様に、甲第１号証ないし甲第３号証に記載された発明に基づいて、当業者が容易に発明をすることができたものではない。
　
（むすび）
  以上のとおりであるから、特許異議の申立ての理由及び証拠によっては、本件の請求項１及び請求項２に係る発明の特許を取り消すことはできない。
　また、他に本件の請求項１及び請求項２に係る発明の特許を取り消すべき理由を発見しない。
　
　よって、結論のとおり決定する。
【異議決定日】
平成１２年１１月２９日（２０００．１１．２９）